(57)【要約】  本開示のいくつかの態様は、仮想リソースブロック（ＶＲＢ）を物理リソースブロック（ＰＲＢ）にマッピングし、ワイヤレス通信において、例えば、新無線（ＮＲ）技術において当該マッピングを使用する方法および装置に関する。例示的な方法は、Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定することと、ここにおいて、各第１のＰＲＢは、１期間中に周波数リソースのセットを備え、第１のＶＲＢの第１のインターリービングユニットを第１のユーザ機器（ＵＥ）に割り振る第１の許可を送信することと、第１のインターリービングユニットの第１のＶＲＢにマッピングされた第１のＰＲＢを介して第１のＵＥと通信することと、を含む。【選択図】図８
2021502760.tif 000002
【特許請求の範囲】
【請求項１】
基地局（ＢＳ）によって行われるワイヤレス通信のための方法であって、
Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定することと、ここにおいて、各第１のＰＲＢは、１期間中に周波数リソースのセットを備え、
第１のＶＲＢの前記第１のインターリービングユニットを第１のユーザ機器（ＵＥ）に割り振る第１の許可を送信することと、
前記第１のインターリービングユニットの前記第１のＶＲＢにマッピングされた前記第１のＰＲＢを介して前記第１のＵＥと通信することと、
を備える、方法。
【請求項２】
前記第１のインターリーブマッピングは、複数のインターリービングユニットの各インターリービングユニットを複数のＰＲＢバンドルにマッピングし、
前記複数のＰＲＢバンドルの各ＰＲＢバンドルは、同じ数のＰＲＢを有し、
前記許可は、前記複数の前記インターリービングユニットを割り振る、
請求項１に記載の方法。
【請求項３】
前記第１のインターリーブマッピングの指示を前記ＵＥに送信すること、
をさらに備える、請求項１に記載の方法。
【請求項４】
前記指示を送信することは、
前記第１のインターリーブマッピングの前記指示を備える第１の無線リソース制御（ＲＲＣ）構成を前記ＵＥに送ること、
を備える、請求項３に記載の方法。
【請求項５】
前記第１のインターリーブマッピングの変更を示す第２のＲＲＣ構成を前記ＵＥに送ること、
をさらに備える、請求項４に記載の方法。
【請求項６】
前記第１のインターリーブマッピングは、第１の帯域幅部分（ＢＷＰ）に固有であり、前記方法は、
Ｍ個の連続する第２のＶＲＢの第２のインターリービングユニットをＭ個の連続する第２のＰＲＢにマッピングする、前記第１のＢＷＰに固有の第２のインターリーブマッピングを決定することと、
第２のＶＲＢの前記第２のインターリービングユニットを第２のＵＥに割り振る第２の許可を送信することと、
前記第２のインターリービングユニットの前記第２のＶＲＢにマッピングされた前記第２のＰＲＢを介して前記第２のＵＥと通信することと、
をさらに備える、請求項１に記載の方法。
【請求項７】
ＭがＮに等しくない、請求項６に記載の方法。
【請求項８】
前記第１のインターリーブマッピングは、前記第１のインターリービングユニットを複数のＰＲＢバンドルにマッピングする、請求項１に記載の方法。
【請求項９】
ＰＲＢバンドルは、前記Ｎ個の連続する第１のＰＲＢを含み、前記ＰＲＢバンドルの高い方の境界および低い方の境界は、キャリア固有ＰＲＢバンドルグリッドのＰＲＢバンドルの境界とは異なる、請求項１に記載の方法。
【請求項１０】
前記第１のインターリーブマッピングは、ＶＲＢの複数の第１のインターリービングユニットを複数のＰＲＢバンドルにマッピングし、前記方法は、
前記第１のインターリービングユニットのうちの１つまたは複数のＶＲＢをヌルＲＢとして半静的に構成することと、
をさらに備える、請求項１に記載の方法。
【請求項１１】
小さいＲＢ割り振りのために１つまたは複数のＰＲＢを予約することと、
前記予約されたＰＲＢに対応する少なくとも１つのインターリービングユニットをヌルＲＢとして指定することと、
をさらに備える、請求項１に記載の方法。
【請求項１２】
前記周波数リソースのうちの１つまたは複数が予約され、前記第１のＵＥと通信することは、
前記予約された周波数リソースに対応する前記第１のＶＲＢの予約された部分を決定することと、
前記予約された部分を除く前記第１のＶＲＢにデータをレートマッチングすることと、
前記第１のＰＲＢを介して前記データを送信することと、
を備える、請求項１に記載の方法。
【請求項１３】
前記周波数リソースのうちの１つまたは複数が予約され、前記第１のＵＥと通信することは、
前記予約された周波数リソースの指示を前記ＵＥにシグナリングすること、
を備える、請求項１に記載の方法。
【請求項１４】
ユーザ機器（ＵＥ）によって行われるワイヤレス通信のための方法であって、
Ｎ個の連続する仮想リソースブロック（ＶＲＢ）のインターリービングユニットをＮ個の連続する物理リソースブロック（ＰＲＢ）にマッピングするインターリーブマッピングを決定することと、ここにおいて、各ＰＲＢは、１期間中に周波数リソースのセットを備え、
基地局（ＢＳ）から、ＶＲＢの前記インターリービングユニットを割り振る許可を受信することと、
前記インターリービングユニットの前記ＶＲＢにマッピングされた前記ＰＲＢを介して前記ＢＳと通信することと、
を備える、方法。
【請求項１５】
前記インターリーブマッピングは、複数のインターリービングユニットの各インターリービングユニットを複数のＰＲＢバンドルにマッピングし、
前記複数のＰＲＢバンドルの各ＰＲＢバンドルは、同じ数のＰＲＢを有し、
前記許可は、前記複数の前記インターリービングユニットを割り振る、
請求項１４に記載の方法。
【請求項１６】
前記インターリーブマッピングの指示を前記ＢＳから受信すること、
をさらに備える、請求項１４に記載の方法。
【請求項１７】
前記指示を受信することは、
前記インターリーブマッピングの前記指示を備える第１の無線リソース制御（ＲＲＣ）構成を前記ＢＳから受信すること、
を備える、請求項１６に記載の方法。
【請求項１８】
前記インターリーブマッピングの変更を示す第２のＲＲＣ構成を前記ＢＳから受信すること、
をさらに備える、請求項１７に記載の方法。
【請求項１９】
前記インターリーブマッピングは、前記インターリービングユニットを複数のＰＲＢバンドルにマッピングする、請求項１４に記載の方法。
【請求項２０】
ＰＲＢバンドルは、前記Ｎ個の連続するＰＲＢを含み、前記ＰＲＢバンドルの高い方の境界および低い方の境界は、キャリア固有ＰＲＢバンドルグリッドのＰＲＢバンドルの境界とは異なる、請求項１４に記載の方法。
【請求項２１】
前記インターリーブマッピングは、ＶＲＢの複数のインターリービングユニットを複数のＰＲＢバンドルにマッピングし、前記方法は、
前記インターリービングユニットのうちの１つまたは複数のＶＲＢをヌルＲＢとして示す半静的構成を受信すること、
をさらに備える、請求項１４に記載の方法。
【請求項２２】
１つまたは複数のＰＲＢをヌルＲＢとして指定する指示を受信することと、
前記ヌルＲＢのうちの１つまたは複数の小さいＲＢ割り振りを受信することと、
前記小さいＲＢ割り振りに従って前記ＢＳと通信することと、
をさらに備える、請求項１４に記載の方法。
【請求項２３】
前記ＢＳと通信することは、
前記周波数リソースのうちの１つまたは複数が予約された周波数リソースであるという指示を受信することと、
前記予約された周波数リソースに対応する前記第１のＶＲＢの予約された部分を決定することと、
前記予約された部分を除く前記第１のＶＲＢにデータをレートマッチングすることと、
前記第１のＰＲＢを介して前記データを送信することと、
を備える、請求項１４に記載の方法。
【請求項２４】
ワイヤレス通信のための装置であって、
Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定することと、ここにおいて、各第１のＰＲＢは、１期間中に周波数リソースのセットを備え、
第１のＶＲＢの前記第１のインターリービングユニットを第１のユーザ機器（ＵＥ）に割り振る第１の許可を送信することと、
前記第１のインターリービングユニットの前記第１のＶＲＢにマッピングされた前記第１のＰＲＢを介して前記第１のＵＥと通信することと、
を行うように構成されたプロセッサと、
前記プロセッサと結合されたメモリと
を備える、装置。
【請求項２５】
ワイヤレス通信のための装置であって、
Ｎ個の連続する仮想リソースブロック（ＶＲＢ）のインターリービングユニットをＮ個の連続する物理リソースブロック（ＰＲＢ）にマッピングするインターリーブマッピングを決定することと、ここにおいて、各ＰＲＢは、１期間中に周波数リソースのセットを備え、
基地局（ＢＳ）から、ＶＲＢの前記インターリービングユニットを割り振る許可を受信することと、
前記インターリービングユニットの前記ＶＲＢにマッピングされた前記ＰＲＢを介して前記ＢＳと通信することと、
を行うように構成されたプロセッサと、
前記プロセッサと結合されたメモリと、
を備える、装置。
【発明の詳細な説明】
【関連出願の相互参照】
【０００１】
[0001]  本出願は、２０１７年１１月１０日付で出願された米国仮特許出願第６２／５８４，５０１号の利益および優先権を主張する、２０１８年１１月８日付で出願された、米国特許出願第１６／１８４，７７１号の利益および優先権を主張するものであり、これら両方が本出願の譲受人に譲渡され、以下に全ての適用目的で完全に記載されているかのようにその全体が参照により本明細書に明示的に組み込まれている。
【技術分野】
【０００２】
[0002]  本開示は、一般に通信システムに関し、より具体的には、仮想リソースブロック（ＶＲＢ）を物理リソースブロック（ＰＲＢ）にマッピングし、ワイヤレス通信において、例えば、新無線（ＮＲ:new radio）技術に従って動作する通信システムにおいて、そのマッピングを使用するための方法および装置に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  例として、ワイヤレス多元接続通信システムは、複数の基地局を含み得、各々が、別名ユーザ機器（ＵＥ）として知られている複数の通信デバイスのための通信を同時にサポートする。ＬＴＥまたはＬＴＥ−Ａネットワークでは、１つまたは複数の基地局のセットは、ｅノードＢ（ｅＮＢ）を定義し得る。他の例では（例えば、次世代または５Ｇネットワークでは）、ワイヤレス多元接続通信システムは、いくつかの集中ユニット（ＣＵ：central units）（例えば、集中ノード（ＣＮ：central nodes）、アクセスノードコントローラ（ＡＮＣ：access node controllers）など）と通信状態にあるいくつかの分散ユニット（ＤＵ：distributed units）（例えば、エッジユニット（ＥＵ：edge units）、エッジノード（ＥＮ：edge nodes）、無線ヘッド（ＲＨ：radio heads）、スマート無線ヘッド（ＳＲＨ：smart radio heads）、送受信ポイント（ＴＲＰ：transmission reception points）など）を含み得、ここで、集中ユニットと通信状態にある１つまたは複数の分散ユニットのセットは、アクセスノード（例えば、新無線基地局（ＮＲ ＢＳ：new radio base station）、新無線ノードＢ（ＮＲ ＮＢ：new radio node-B）、ネットワークノード、５Ｇ ＮＢ、ｅＮＢ、次世代ノードＢ（ｇＮＢ：Next Generation Node B）など）を定義し得る。基地局またはＤＵは、（例えば、基地局からまたはＵＥへの送信のための）ダウンリンクチャネルおよび（例えば、ＵＥから基地局または分散ユニットへの送信のための）アップリンクチャネル上でＵＥのセットと通信し得る。
【０００５】
[0005]  これらの多元接続技術は、異なるワイヤレスデバイスが都市、国家、地域、さらには地球規模で通信することを可能にする共通プロトコルを提供するために様々な電気通信規格において採用されている。新興の電気通信規格の例は、新無線（ＮＲ：new radio）、例えば５Ｇ無線アクセスである。ＮＲは、第３世代パートナーシッププロジェクト（３ＧＰＰ（登録商標））によって公表されたＬＴＥモバイル規格の拡張セットである。それは、ビームフォーミング、多入力多出力（ＭＩＭＯ）アンテナ技術、そしてキャリアアグリゲーションをサポートして、ならびにダウンリンク（ＤＬ）上およびアップリンク（ＵＬ）上でサイクリックプレフィクス（ＣＰ）を用いるＯＦＤＭＡを使用して、スペクトル効率を向上させること、コストを下げること、サービスを向上させること、新たなスペクトルを利用すること、および他のオープン規格とより良好に統合することによって、モバイルブロードバンドインターネットアクセスをより良好にサポートするように設計されている。
【０００６】
[0006]  しかしながら、モバイルブロードバンドアクセスに対する需要が増加し続けるにつれ、ＮＲ技術のさらなる改善の必要性が存在する。好ましくは、これらの改善は、他の多元接続技術と、これらの技術を採用する電気通信規格とに適用可能であるべきである。
【発明の概要】
【０００７】
[0007]  本開示のシステム、方法、およびデバイスは各々、いくつかの態様を有し、これらのうちのいずれも、その望ましい属性を単独で担うものではない。下記の特許請求の範囲によって示される本開示の範囲を限定することなく、いくつかの特徴が簡潔に説明されるだろう。この説明を考慮した後、また、特に「詳細な説明」と題するセクションを読んだ後、当業者であれば、本開示の特徴が、ワイヤレスネットワークにおけるアクセスポイントと局の間の改善された通信を含む利点をどのように提供するかを理解するだろう。
【０００８】
[0008]  ある特定の態様は、基地局（ＢＳ）によるワイヤレス通信のための方法を提供する。本方法は、一般に、Ｎ個の連続する第１の仮想リソースブロック（ＶＲＢs:virtual resource blocks）の第１のインターリービングユニット（interleaving unit）をＮ個の連続する第１の物理リソースブロック（ＰＲＢs:physical resource blocks）にマッピングする第１のインターリーブマッピング（interleaved mapping）を決定すること、ここにおいて、各第１のＰＲＢは、１期間（a period）中に周波数リソースのセットを備え、と、第１のＶＲＢの第１のインターリービングユニットを第１のユーザ機器（ＵＥ）に割り振る第１の許可を送信することと、第１のインターリービングユニットの第１のＶＲＢにマッピングされた第１のＰＲＢを介して第１のＵＥと通信することと、を含む。
【０００９】
[0009]  ある特定の態様は、ユーザ機器（ＵＥ）によるワイヤレス通信のための方法を提供する。本方法は、一般に、Ｎ個の連続する仮想リソースブロック（ＶＲＢ）のインターリービングユニットをＮ個の連続する物理リソースブロック（ＰＲＢ）にマッピングするインターリーブマッピングを決定すること、ここにおいて、各ＰＲＢは、１期間中に周波数リソースのセットを備える、と、基地局（ＢＳ）からＶＲＢのインターリービングユニットを割り振る許可を受信することと、インターリービングユニットのＶＲＢにマッピングされたＰＲＢを介してＢＳと通信することと、を含む。
【００１０】
[0010]  ある特定の態様は、ワイヤレス通信のための装置を提供する。本装置は、一般に、Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定すること、ここにおいて、各第１のＰＲＢは、１期間中に周波数リソースのセットを備え、と、第１のＶＲＢの第１のインターリービングユニットを第１のユーザ機器（ＵＥ）に割り振る第１の許可を送信することと、第１のインターリービングユニットの第１のＶＲＢにマッピングされた第１のＰＲＢを介して第１のＵＥと通信することと、を行うように構成されたプロセッサと、プロセッサに結合されたメモリと、を含む。
【００１１】
[0011]  ある特定の態様は、ワイヤレス通信のための装置を提供する。本装置は、一般に、Ｎ個の連続する仮想リソースブロック（ＶＲＢ）のインターリービングユニットをＮ個の連続する物理リソースブロック（ＰＲＢ）にマッピングするインターリーブマッピングを決定すること、ここにおいて、各第１のＰＲＢは、１期間中に周波数リソースのセットを備え、と、基地局（ＢＳ）からＶＲＢのインターリービングユニットを割り振る許可を受信することと、インターリービングユニットのＶＲＢにマッピングされたＰＲＢを介してＢＳと通信することと、を行うように構成されたプロセッサと、プロセッサと結合されたメモリと、を含む。
【００１２】
[0012]  ある特定の態様は、ワイヤレス通信のための装置を提供する。本装置は、一般に、Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定するための手段、ここにおいて、各第１のＰＲＢは、１期間中に周波数リソースのセットを備え、と、第１のＶＲＢの第１のインターリービングユニットを第１のユーザ機器（ＵＥ）に割り振る第１の許可を送信するための手段と、第１のインターリービングユニットの第１のＶＲＢにマッピングされた第１のＰＲＢを介して第１のＵＥと通信するための手段と、を含む。
【００１３】
[0013]  ある特定の態様は、ワイヤレス通信のための装置を提供する。本装置は、一般に、Ｎ個の連続する仮想リソースブロック（ＶＲＢ）のインターリービングユニットをＮ個の連続する物理リソースブロック（ＰＲＢ）にマッピングするインターリーブマッピングを決定するための手段、ここにおいて、各ＰＲＢは、１期間中に周波数リソースのセットを備え、と、基地局（ＢＳ）からＶＲＢのインターリービングユニットを割り振る許可を受信するための手段と、インターリービングユニットのＶＲＢにマッピングされたＰＲＢを介してＢＳと通信するための手段と、を含む。
【００１４】
[0014]  ある特定の態様は、ワイヤレス通信のためのコンピュータ可読媒体を提供する。コンピュータ可読媒体は、処理システムによって実行されると、Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定すること、ここにおいて、各第１のＰＲＢは、１期間中に周波数リソースのセットを備え、と、第１のＶＲＢの第１のインターリービングユニットを第１のユーザ機器（ＵＥ）に割り振る第１の許可を送信することと、第１のインターリービングユニットの第１のＶＲＢにマッピングされた第１のＰＲＢを介して第１のＵＥと通信することと、を一般に含む動作を処理システムに行わせる命令を含む。
【００１５】
[0015]  ある特定の態様は、ワイヤレス通信のためのコンピュータ可読媒体を提供する。コンピュータ可読媒体は、処理システムによって実行されると、Ｎ個の連続する仮想リソースブロック（ＶＲＢ）のインターリービングユニットをＮ個の連続する物理リソースブロック（ＰＲＢ）にマッピングするインターリーブマッピングを決定すること、ここにおいて、各ＰＲＢは、ある期間中に周波数リソースのセットを備え、と、基地局（ＢＳ）からＶＲＢのインターリービングユニットを割り振る許可を受信することと、インターリービングユニットのＶＲＢにマッピングされたＰＲＢを介してＢＳと通信することと、を一般に含む動作を処理システムに行わせる命令を含む。
【００１６】
[0016]  これら態様は一般に、添付の図面を参照しておよびそれらによって例示されるようにここに実質的に説明される、方法、装置、システム、コンピュータ可読媒体、および処理システムを含む。
【００１７】
[0017]  上記および関係する目的を達成するために、１つまたは複数の態様は、以下で十分に説明し、特に特許請求の範囲で指摘する特徴を備える。以下の説明および添付の図面に、１つまたは複数の態様のうちの特定の例示的な特徴を詳細に記載する。しかしながら、これらの特徴は、様々な態様の原理が採用され得る様々な方法のうちのほんのいくつかを示すものであり、この説明は、全てのそのような態様およびそれらの均等物を含むものとする。
【００１８】
[0018]  本開示の上述された特徴が詳細に理解されることができるように、上記では簡潔に概要を述べたより詳細な説明が、態様を参照して行われ得、そのいくつかは、添付の図面において例示される。しかしながら、添付の図面は、この開示のある特定の典型的な態様のみを例示しており、従って、その範囲を限定すると見なされるべきではなく、説明は、他の等しく有効な態様を認め得ることに留意されたい。
【図面の簡単な説明】
【００１９】
【図１】[0019]  図１は、本開示の態様が実行され得る例示的な電気通信システムを概念的に例示するブロック図である。
【図２】[0020]  図２は、本開示のある特定の態様による、分散ＲＡＮの例示的な論理アーキテクチャを例示するブロック図である。
【図３】[0021]  図３は、本開示のある特定の態様による、分散ＲＡＮの例示的な物理アーキテクチャを例示する図である。
【図４】[0022]  図４は、本開示のある特定の態様による、例示的なＢＳおよびユーザ機器（ＵＥ）の設計を概念的に例示するブロック図である。
【図５】[0023]  図５は、本開示のある特定の態様による、通信プロトコルスタックを実装するための例を示す図である。
【図６】[0024]  図６は、本開示のある特定の態様による、ＤＬセントリックサブフレーム（downlink-centric subframe）の例を例示する。
【図７】[0025]  図７は、本開示のある特定の態様による、ＵＬセントリックサブフレーム（uplink-centric subframe）の例を例示する。
【図８】[0026]  図８は、本開示の態様による、例示的なインターリービング技法を例示する。
【図９】[0027]  図９は、本開示の態様による、ＰＲＢのＶＲＢへの例示的なマッピングを例示する。
【図１０】[0028]  図１０は、本開示の態様による、基地局によって行われ得るワイヤレス通信のための例示的な動作１０００を例示する。
【図１１】[0029]  図１１は、本開示の態様による、ユーザ機器（ＵＥ）によって行われ得るワイヤレス通信のための例示的な動作を例示する。
【図１２】[0030]  図１２は、本開示の態様による、例示的な帯域幅部分（ＢＷＰ）を例示する。
【図１３Ａ】[0031]  図１３Ａは、本開示の態様による、例示的なＶＲＢ割り振りを例示する。
【図１３Ｂ】[0031]  図１３Ｂは、本開示の態様による、例示的なＶＲＢ割り振りを例示する。
【図１４Ａ】[0032]  図１４Ａは、本開示の態様による、例示的なインターリービングマッピングを例示する。
【図１４Ｂ】[0032]  図１４Ｂは、本開示の態様による、例示的なインターリービングマッピングを例示する。
【図１５】[0033]  図１５は、開示の態様による、例示的なインターリービングマッピングを例示する。
【００２０】
[0034]  理解を容易にするため、可能な場合、図面に共通している同一の要素を指定するために同一の参照番号が使用されている。１つの実施形態で開示された要素は、具体的な説明がなくとも、他の実施形態において効果的に使用され得ることが予期される。
【詳細な説明】
【００２１】
[0035]  本開示の態様は、新無線（ＮＲ）（新無線アクセス技術または第５世代（５Ｇ）技術）のための、装置、方法、処理システム、およびコンピュータ可読媒体を提供する。
【００２２】
[0036]  ＮＲは、広帯域幅（例えば、８０ＭＨｚ以上）通信を対象とした拡張型モバイルブロードバンド（ｅＭＢＢ）、高いキャリア周波数（例えば、２７ＧＨｚ以上）通信を対象としたミリメートル波（ｍｍＷ）、後方互換性のないマシンタイプ通信（ＭＴＣ）技法を対象とした大量マシンタイプ通信（ｍＭＴＣ：massive machine-type communications）、および／または超高信頼性低レイテンシ通信（ＵＲＬＬＣ：ultra-reliable low latency communications）を対象としたミッションクリティカルサービスなどの、様々なワイヤレス通信サービスをサポートし得る。これらのサービスは、レイテンシおよび信頼性要求を含み得る。これらのサービスはまた、それぞれのサービス品質（ＱｏＳ）要件を満たすために、異なる送信時間間隔（ＴＴＩ）を有し得る。加えて、これらのサービスは、同じサブフレーム中に共存し得る。
【００２３】
[0037]  以前から知られている技法（例えば、ＬＴＥ）では、２つのタイプの仮想リソースブロック（ＶＲＢ）がサポートされる。（１）各ＶＲＢから対応するＰＲＢへの直接マッピングがあるローカライズＶＲＢ（例えば、リソース割り当てタイプ０および１）、および（２）連続するＶＲＢが、周波数領域において連続するＰＲＢにマッピングされない分散ＶＲＢ（例えば、リソース割当タイプ２）。分散ＶＲＢは、例えば、低レートサービス（例えば、音声）および高モビリティ、高変調オーダ（order）、高ランク多入力多出力（ＭＩＭＯ）通信で、高周波数ダイバーシティが必要とされ、チャネル依存スケジューリングが適切でないときに使用され得る。
【００２４】
[0038]  本開示の態様によれば、ＮＲ通信システムにおいて分散ＶＲＢを使用するための技法が提供される。提供される技法は、ＬＴＥにおける分散ＶＲＢと同様であり、物理ダウンリンク共有チャネル（ＰＤＳＣＨ）および物理アップリンク共有チャネル（ＰＵＳＣＨ）などの様々な物理チャネルのためのサイクリックプレフィックス直交周波数分割多重（ＣＰ−ＯＦＤＭ）波形を使用するＮＲデータチャネルのために使用され得る。提供される技法は、ＮＲ固有のチャネライゼーションパラメータ、帯域幅部分（ＢＷＰ）、ＰＲＢグリッドパラメータ、およびＰＲＢバンドリングパラメータを考慮する。加えて、提供される技法は、データ送信と、同期信号ブロック（ＳＳブロック）ならびに前方および後方互換性のために予約されたリソースなどのＮＲ固有リソースとの間の衝突を解決し得る。
【００２５】
[0039]  以下の説明は例を提供するものであり、特許請求の範囲で述べられる範囲、適用可能性、または例を限定するものではない。本開示の範囲から逸脱することなく、説明される要素の機能および配列で変更がなされ得る。様々な例は、必要に応じて、様々なプロシージャまたはコンポーネントを省略、代用、あるいは追加し得る。例えば、説明される方法は、説明されるものとは異なる順序で行われ得、また、様々なステップが追加、省略、または組み合わせられ得る。また、いくつかの例に関して説明された特徴は、いくつかの他の例において組み合わせられ得る。例えば、本明細書に記載されている任意の数の態様を使用して、装置が実装され得るか、または方法が実施され得る。加えて、本開示の範囲は、本明細書に記載される開示の様々な態様に加えて、または本開示の様々な態様の他に、他の構造、機能、または構造および機能を使用して実施されるそのような装置または方法をカバーすることを意図している。本明細書に開示された開示のいずれの態様も、特許請求の範囲の１つまたは複数の要素によって具現化され得ることが理解されるべきである。「例示的な」という用語は、本明細書で「例、実例、または例示としての役割を果たす」という意味で用いられる。「例示的な」ものとして本明細書で説明される任意の態様は、必ずしも、他の態様よりも好ましいまたは有利であると解釈されるべきでない。
【００２６】
[0040]  本明細書で説明する技法は、ＬＴＥ、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用できる。「ネットワーク」および「システム」という用語は、しばしば互換的に使用される。ＣＤＭＡネットワークは、ＵＴＲＡ（Universal Terrestrial Radio Access）、ｃｄｍａ２０００などの無線技術を実装することができる。ＵＴＲＡは、ワイドバンドＣＤＭＡ（ＷＣＤＭＡ（登録商標））およびＣＤＭＡの他の変形態を含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、ＮＲ（例えば、５G ＲＡ）発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどといった無線技術を実装し得る。ＵＴＲＡおよびＥ−ＵＴＲＡは、ユニバーサルモバイルテレコミュニケーションシステム（ＵＭＴＳ）の一部である。ＮＲは、５Ｇ技術フォーラム（５ＧＴＦ：5G Technology Forum）とともに開発中の新生のワイヤレス通信技術である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。「ＬＴＥ」は一般に、ＬＴＥ、ＬＴＥ−Ａｄｖａｎｃｅｄ（ＬＴＥ−Ａ）、アンライセンススペクトル中のＬＴＥ（ＬＴＥホワイトスペース）などを指す。本明細書で説明する技法は、上記のワイヤレスネットワークおよび無線技術、ならびに他のワイヤレスネットワークおよび無線技術に使用できる。明確性のために、３Ｇおよび／または４Ｇのワイヤレス技術に共通して関連付けられた専門用語を使用して態様が本明細書で説明され得るが、本開示の態様は、ＮＲ技術を含む、例えば５Ｇ以降などの、他の世代をベースとした通信システムにおいて適用され得る。
【００２７】
＜例示的なワイヤレス通信システム＞  
[0041]  図１は、新無線（ＮＲ）または５Ｇネットワークなどの、本開示の態様が行われ得る、例示的なワイヤレスネットワーク１００を例示する。
【００２８】
[0042]  図１に例示されるように、ワイヤレスネットワーク１００は、いくつかのＢＳ１１０および他のネットワークエンティティを含み得る。ＢＳは、ＵＥと通信する局であり得る。各ＢＳ１１０は、特定の地理的エリアに対して通信カバレッジを提供することができる。３ＧＰＰでは、「セル」という用語は、この用語が使用される状況に応じて、ノードＢ（ＮＢ）のカバレッジエリアおよび／またはこのカバレッジエリアにサービスしているノードＢサブシステムを指すことができる。ＮＲシステムでは、「セル」という用語と、発展型ノードＢ（ｅＮＢ）、ノードＢ、５Ｇ ＮＲ、ＡＰ、ＮＲ ＢＳ、ＮＲ ＢＳ、ｇＮＢ、またはＴＲＰとは、交換可能であり得る。いくつかの例では、セルは、必ずしも静的である必要はなく、セルの地理的エリアは、モバイル基地局のロケーションに従って移動し得る。いくつかの例では、基地局は、任意の適切なトランスポートネットワークを使用して、直接物理接続、仮想ネットワーク、または同様のものなどの、バックホールインターフェースの様々なタイプを通じて、互いとおよび／またはワイヤレスネットワーク１００中の１つまたは複数の他の基地局あるいはネットワークノード（図示せず）と相互接続し得る。
【００２９】
[0043]  一般に、任意の数のワイヤレスネットワークが、所与の地理的エリアに配置され得る。各ワイヤレスネットワークは、特定の無線アクセス技術（ＲＡＴ）をサポートし得、１つまたは複数の周波数上で動作し得る。ＲＡＴはまた、無線技術、エアインターフェースなどとも呼ばれ得る。周波数は、キャリア、周波数チャネルなどとも呼ばれ得る。各周波数は、異なるＲＡＴのワイヤレスネットワーク間の干渉を避けるために、所与の地理的エリアにおいて単一のＲＡＴをサポートし得る。いくつかのケースでは、ＮＲまたは５Ｇ ＲＡＴネットワークが展開され得る。
【００３０】
[0044]  ＢＳは、マクロセル、ピコセル、フェムトセル、および／または他のタイプのセルに通信カバレッジを提供し得る。マクロセルは、比較的大きい地理的エリア（例えば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（例えば、自宅）をカバーし得、フェムトセルとの関連を有するＵＥ（例えば、限定加入者グループ（ＣＳＧ：Closed Subscriber Group）中のＵＥ、自宅内のユーザのためのＵＥなど）による限定アクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示す例では、ＢＳ１１０ａ、１１０ｂ、および１１０ｃは、それぞれ、マクロセル１０２ａ、１０２ｂ、および１０２ｃのためのマクロＢＳであり得る。ＢＳ１１０ｘは、ピコセル１０２ｘのためのピコＢＳノードＢであり得る。ＢＳ１１０ｙおよび１１０ｚは、それぞれ、フェムトセル１０２ｙおよび１０２ｚのためのフェムトＢＳであり得る。１つのＢＳは、１つまたは複数の（例えば、３つの）セルをサポートし得る。
【００３１】
[0045]  ワイヤレスネットワーク１００はまた、中継局を含み得る。中継局は、上流局（例えば、ＢＳまたはＵＥ）からデータおよび／または他の情報の送信を受信し、そのデータおよび／または他の情報の送信を下流局（例えば、ＵＥまたはＢＳ）に送信する局である。中継局はまた、他のＵＥに対する送信を中継するＵＥであり得る。図１に示す例では、中継局１１０ｒは、ＢＳ１１０ａとＵＥ１２０ｒとの間の通信を可能にするために、ＢＳ１１０ａおよびＵＥ１２０ｒと通信し得る。中継局は、リレーＢＳ、リレーなどと呼ばれ得る。
【００３２】
[0046]  ワイヤレスネットワーク１００は、様々なタイプのＢＳ、例えば、マクロＢＳ、ピコＢＳ、フェムトＢＳ、リレーなどを含む異種ネットワーク（ＨｅｔＮｅｔ）であり得る。これらの様々なタイプのＢＳは、様々な送信電力レベル、様々なカバレッジエリア、およびワイヤレスネットワーク１００中の干渉に対する様々な影響を有し得る。例えば、マクロＢＳは、高い送信電力レベル（例えば、２０ワット）を有し得るが、ピコＢＳ、フェムトＢＳ、およびリレーは、より低い送信電力レベル（例えば、１ワット）を有し得る。
【００３３】
[0047]  ワイヤレスネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明する技法は、同期動作と非同期動作の両方に使用され得る。
【００３４】
[0048]  ネットワークコントローラ１３０は、ＢＳのセットに結合され、これらのＢＳの協調および制御を提供し得る。ネットワークコントローラ１３０は、バックホールを介してＢＳ１１０と通信し得る。ｅＮＢ１１０はまた、例えば、ワイヤレスバックホールまたはワイヤラインバックホールを介して直接または間接的に互いに通信し得る。
【００３５】
[0049]  ＵＥ１２０（例えば、１２０ｘ、１２０ｙなど）は、ワイヤレスネットワーク１００にわたって分散され得、各ＵＥは、固定式または移動式であり得る。ＵＥはまた、モバイル局、端末、アクセス端末、加入者ユニット、局、顧客構内機器（ＣＰＥ：Customer Premises Equipment）、セルラ電話、スマートフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイスまたは医療機器、ヘルスケアデバイス、生体センサ／デバイス、スマートウォッチ、スマート衣服、スマートグラス、仮想現実ゴーグル、スマートリストバンド、スマートジュエリ（例えば、スマートリング、スマートブレスレットなど）のようなウェアラブルデバイス、エンターテインメントデバイス（例えば、音楽デバイス、ビデオデバイス、衛星ラジオなど）、車両コンポーネントまたはセンサ、スマートメータ／センサ、ロボット、ドローン、工業製造機器、測位デバイス（例えば、ＧＰＳ、Ｂｅｉｄｏｕ、地上の）、あるいはワイヤレスまたはワイヤード媒体を介して通信するように構成された任意の他の適したデバイスと呼ばれ得る。いくつかのＵＥは、基地局、別のリモートデバイス、または何らかの他のエンティティと通信し得るリモートデバイスを含み得る、マシンタイプ通信（ＭＴＣ）デバイスまたは発展型ＭＴＣ（ｅＭＴＣ）デバイスであると見なされ得る。マシンタイプ通信（ＭＴＣ）は、通信の少なくとも一端における少なくとも１つの遠隔デバイスを含む通信を指し、人間の関与（human interaction）を必ずしも必要としない１つまたは複数のエンティティを含む、データ通信の形式を含み得る。ＭＴＣ ＵＥは、例えば、公衆地上モバイルネットワーク（ＰＬＭＮ：Public Land Mobile Networks）を通してＭＴＣサービスおよび／または他のＭＴＣデバイスとＭＴＣ通信することができるＵＥを含み得る。ＭＴＣおよびｅＭＴＣ ＵＥは、例えば、ＢＳ、別のデバイス（例えば、リモートデバイス）、または何らかの他のエンティティと通信し得る、ロボット、ドローン、リモートデバイス、センサ、メータ、モニタ、カメラ、ロケーションタグなどを含む。ワイヤレスノードは、例えば、ワイヤードまたはワイヤレス通信リンクを介した、ネットワーク（例えば、インターネットまたはセルラネットワークのような広域ネットワーク）のための接続、またはネットワークへの接続を提供し得る。ＭＴＣ ＵＥ、ならびに他のＵＥは、モノのインターネット（ＩｏＴ）デバイス、例えば、狭帯域ＩｏＴ（ＮＢ−ＩｏＴ）デバイスとして実装され得る。
【００３６】
[0050]  図１において、両矢印付きの実線は、ダウンリンクおよび／またはアップリンク上での、ＵＥと、そのＵＥをサービスするように指定されたＢＳであるサービスを提供するＢＳとの間の所望の送信を示す。両矢印付きの破線は、ＵＥとＢＳとの間の干渉する送信を示す。
【００３７】
[0051]  特定のワイヤレスネットワーク（例えば、ＬＴＥ）は、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。例えば、サブキャリアの間隔は１５ｋＨｚであり得、（「リソースブロック」と呼ばれる）最小リソース割り振りは１２個のサブキャリア（または１８０ｋＨｚ）であり得る。従って、公称ＦＦＴサイズは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅をサブバンドに区分することもできる。例えば、サブバンドは、１．０８ＭＨｚ（すなわち、６リソースブロック）をカバーし得、システム帯域幅の１．２５、２．５、５、１０、または２０ＭＨｚに対してそれぞれ、１、２、４、８、または１６個のサブバンドが存在し得る。
【００３８】
[0052]  本明細書で説明される例の態様は、ＬＴＥ技術に関連付けられ得るが、本開示の態様は、ＮＲなどの他のワイヤレス通信システムに適用可能であり得る。ＮＲは、アップリンクおよびダウンリンク上でＣＰを用いたＯＦＤＭを利用し得、時分割複信（ＴＤＤ）を使用する半二重動作のためのサポートを含み得る。１００ＭＨｚの単一のコンポーネントキャリア帯域幅がサポートされ得る。ＮＲリソースブロックは、０．１ｍｓの持続期間にわたって７５ｋＨｚのサブキャリア帯域幅を有する１２個のサブキャリアにわたり得る。各無線フレームは、１０ｍｓの長さを有する２つのハーフフレームからなり、各ハーフフレームは５個のサブフレームからなる。結果として、各サブフレームは、１ｍｓの長さを有し得る。各サブフレームは、データ送信のためのリンク方向（例えば、ＤＬまたはＵＬ）を示し得、各サブフレームのためのリンク方向が、動的に切り替えられ得る。各サブフレームは、ＤＬ／ＵＬデータ、ならびにＤＬ／ＵＬ制御データを含み得る。ＮＲのためのＵＬおよびＤＬサブフレームは、図６および図７に関連して以下でより詳細に説明され得る。ビームフォーミングがサポートされ得、ビーム方向が動的に構成され得る。プリコードを用いたＭＩＭＯ送信もまたサポートされ得る。ＤＬにおけるＭＩＭＯ構成は、ＵＥごとに最大２ストリームおよび最大８ストリームのマルチレイヤＤＬ送信を有する、最大８個の送信アンテナをサポートし得る。ＵＥごとに最大２ストリームを有するマルチレイヤ送信がサポートされ得る。複数のセルのアグリゲーションは、最大８個のサービングセルを用いてサポートされ得る。代替的に、ＮＲは、ＯＦＤＭベース以外の、異なるエアインターフェースをサポートし得る。ＮＲネットワークは、ＣＵおよび／またはＤＵのようなエンティティを含み得る。
【００３９】
[0053]  いくつかの例では、エアインターフェースへのアクセスがスケジューリングされ得、ここで、スケジューリングエンティティ（例えば、基地局）は、そのサービスエリアまたはセル内のいくつかまたは全てのデバイスおよび機器間の通信のためにリソースを割り振る。本開示内では、さらに以下で説明されるように、スケジューリングエンティティは、１つまたは複数の下位（subordinate）エンティティのためにリソースをスケジューリング、割り当て、再構成、およびリリースすることを担い得る。すなわち、スケジューリングされた通信について、下位エンティティは、スケジューリングエンティティによって割り振られたリソースを利用する。基地局は、スケジューリングエンティティとして機能し得る唯一のエンティティではない。すなわち、いくつかの例では、ＵＥがスケジューリングエンティティとして機能し得、１つまたは複数の下位エンティティ（例えば、１つまたは複数の他のＵＥ）のためにリソースをスケジューリングする。この例では、ＵＥはスケジューリングエンティティとして機能しており、他のＵＥは、ワイヤレス通信のためにＵＥによってスケジューリングされたリソースを利用する。ＵＥは、ピア・ツー・ピア（Ｐ２Ｐ）ネットワーク中、および／またはメッシュネットワーク中のスケジューリングエンティティとして機能し得る。メッシュネットワークの例では、ＵＥは、スケジューリングエンティティとの通信に加えて、任意で互いと直接通信し得る。
【００４０】
[0054]  よって、時間−周波数リソースへのスケジューリングされたアクセスを有し、且つセルラ構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００４１】
[0055]  上述されるように、ＲＡＮは、ＣＵおよびＤＵを含み得る。ＮＲ ＢＳ（例えば、ｇＮＢ、５ＧノードＢ、ノードＢ、送受信ポイント（ＴＲＰ）、アクセスポイント（ＡＰ））は、１つまたは複数のＢＳに対応し得る。ＮＲセルは、アクセスセル（ＡＣｅｌｌ）またはデータオンリーセル（ＤＣｅｌｌ）として構成され得る。例えば、ＲＡＮ（例えば、集中または分散ユニット）は、セルを構成し得る。ＤＣｅｌｌは、キャリアアグリゲーションまたは二重接続のために使用されるセルであり得るが、初期アクセス、セル選択／再選択、またはハンドオーバのためには使用されない。いくつかのケースでは、ＤＣｅｌｌは、同期信号を送信しない可能性がある――いくつかのケースではＤＣｅｌｌは、ＳＳを送信し得る。ＮＲ ＢＳは、セルタイプを示すダウンリンク信号をＵＥに送信し得る。セルタイプの指示に基づいて、ＵＥは、ＮＲ ＢＳと通信し得る。例えば、ＵＥは、示されたセルタイプに基づいて、セル選択、アクセス、ハンドオーバ、および／または測定について考慮するために、ＮＲ ＢＳを決定し得る。
【００４２】
[0056]  図２は、分散された無線アクセスネットワーク（ＲＡＮ）２００の例示的な論理アーキテクチャを例示しており、図１に例示されるワイヤレス通信システム中で実装され得る。５Ｇアクセスノード２０６は、アクセスノードコントローラ（ＡＮＣ：access node controller）２０２を含み得る。ＡＮＣは、分散ＲＡＮ２００の集中ユニット（ＣＵ）であり得る。次世代コアネットワーク（ＮＧ−ＣＮ）２０４へのバックホールインターフェースは、ＡＮＣにおいて終端し得る。隣接する次世代アクセスノード（ＮＧ−ＡＮ：neighboring next generation access nodes）へのバックホールインターフェースは、ＡＮＣにおいて終端し得る。ＡＮＣは、（ＢＳ、ＮＲ ＢＳ、ノードＢ、５Ｇ ＮＢ、ＡＰ、ｇＮＢまたは何らかの他の用語でも呼ばれ得る）１つまたは複数のＴＲＰ２０８を含み得る。上述されるように、ＴＲＰは、「セル」と互換的に使用され得る。
【００４３】
[0057]  ＴＲＰ２０８は、ＤＵであり得る。ＴＲＰは、１つのＡＮＣ（ＡＮＣ２０２）または１つ以上のＡＮＣ（図示せず）に接続され得る。例えば、ＲＡＮ共有、サービスとしての無線（ＲａａＳ：radio as a service）、およびサービス固有のＡＮＤ展開（service specific AND deployments）について、ＴＲＰは、１つ以上のＡＮＣに接続され得る。ＴＲＰは、１つまたは複数のアンテナポートを含み得る。ＴＲＰは、個別に（例えば、動的選択）または共同で（例えば、共同送信）トラフィックＵＥにサービスするように構成され得る。
【００４４】
[0058]  ローカルアーキテクチャ２００は、フロントホール定義を示すために使用され得る。そのアーキテクチャは、異なる展開タイプにわたってフロントホールソリューションをサポートすることを定義する。例えば、アーキテクチャは、送信ネットワーク能力（例えば、帯域幅、レイテンシ、および／またはジッタ）に基づき得る。
【００４５】
[0059]  アーキテクチャは、特徴および／またはコンポーネントをＬＴＥと共有し得る。複数の態様によると、次世代ＡＮ（ＮＧ−ＡＮ）２１０は、ＮＲとの二重接続をサポートし得る。ＮＧ−ＡＮは、ＬＴＥおよびＮＲのための共通フロントホールを共有し得る。
【００４６】
[0060]  アーキテクチャは、ＴＲＰ２０８間（between and among）の協調を利用可能にし得る。例えば、協調は、ＡＮＣ２０２を介して１つのＴＲＰ内でおよび／または複数のＴＲＰ間でプリセットされ得る。複数の態様によると、ＴＲＰ間インターフェース（inter-TRP interface）が必要とされ得ない／存在し得ない。
【００４７】
[0061]  複数の態様によると、分割した論理機能の動的構成は、アーキテクチャ２００内に存在し得る。図５を参照してより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、メディアアクセス制御（ＭＡＣ）レイヤ、および物理（ＰＨＹ）レイヤは、ＤＵまたはＣＵ（例えば、それぞれ、ＴＲＰまたはＡＮＣ）に適切に配置され得る。ある特定の態様によると、ＢＳは、集中ユニット（ＣＵ）（例えば、ＡＮＣ２０２）および／または１つまたは複数の分散ユニット（例えば、１つまたは複数のＴＲＰ２０８）を含み得る。
【００４８】
[0062]  図３は、本開示の態様による、分散ＲＡＮ３００の例示的な物理アーキテクチャを例示する。集中コアネットワークユニット（Ｃ−ＣＵ：centralized core network unit）３０２は、コアネットワーク機能をホストし得る。Ｃ−ＣＵは、中央に配置され得る。Ｃ−ＣＵ機能は、ピーク容量を処理しようとして、（例えば、ＡＷＳ（advanced wireless services）に）オフロードされ得る。
【００４９】
[0063]  集中ＲＡＮユニット（Ｃ−ＲＵ）３０４は、１つまたは複数のＡＮＣ機能をホストし得る。オプションで、Ｃ−ＲＵは、コアネットワーク機能をローカルにホストし得る。Ｃ−ＲＵは、分散配置を有し得る。Ｃ−ＲＵは、ネットワークエッジに近い可能性がある。
【００５０】
[0064]  ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵは、無線周波数（ＲＦ）機能を有するネットワークのエッジに位置し得る。
【００５１】
[0065]  図４は、図１に例示されたＢＳ１１０およびＵＥ１２０の構成要素の例を例示し、これらは本開示の態様を実装するように使用され得る。上述されるように、ＢＳは、ＴＲＰを含み得る。ＢＳ１１０およびＵＥ１２０の１つまたは複数の構成要素は、本開示の態様を実施するために使用され得る。例えば、ＵＥ１２０のアンテナ４５２、プロセッサ４６６、４５８、４６４、および／またはコントローラ／プロセッサ４８０、および／またはＢＳ１１０のアンテナ４３４、プロセッサ４３０、４２０、４３８、および／またはコントローラ／プロセッサ４４０は、ここに説明され、且つ図１０および１１を参照して例示される動作を行うために使用され得る。
【００５２】
[0066]  図４は、図１におけるＢＳのうちの１つおよびＵＥのうちの１つであり得る、ＢＳ１１０およびＵＥ１２０の設計のブロック図を示す。制限付き関連付けシナリオの場合、基地局１１０は図１中のマクロＢＳ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを備え得、ＵＥ１２０はアンテナ４５２ａ〜４５２ｒを備え得る。
【００５３】
[0067]  基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマット通知チャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは、物理ダウンリンク共有チャネル（ＰＤＳＣＨ）などのためのものであり得る。プロセッサ４２０は、データと制御情報とを処理（例えば、符号化およびシンボルマッピング）し、データシンボルと制御シンボルとをそれぞれ取得し得る。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、出力シンボルストリームを変調器（ＭＯＤ）４３２ａ〜４３２ｔに提供し得る。例えば、ＴＸ ＭＩＭＯプロセッサ４３０は、ＲＳ多重化について本明細書で説明されるある特定の態様を行い得る。各変調器４３２は、（例えば、ＯＦＤＭなどの）それぞれの出力シンボルストリームを処理して、出力サンプルストリームを取得し得る。各変調器４３２はさらに、出力サンプルストリームを処理（例えば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００５４】
[0068]  ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに提供し得る。各復調器４５４は、それぞれの受信信号を調整（例えば、フィルタ処理、増幅、ダウンコンバート、およびデジタル化）して、入力サンプルを取得し得る。各復調器４５４は、さらに、（例えば、ＯＦＤＭなどの）入力サンプルを処理して、受信シンボルを取得し得る。ＭＩＭＯ検出器４５６は、全ての復調器４５４ａ〜４５４ｒから受信シンボルを取得し、適用可能な場合は受信シンボルに対してＭＩＭＯ検出を行い、検出シンボルを与え得る。例えば、ＭＩＭＯ検出器４５６は、本明細書で説明される技法を使用して送信された、検出されたＲＳを提供し得る。受信プロセッサ４５８は、検出シンボルを処理（例えば、復調、デインターリーブ、および復号）し、ＵＥ１２０の復号されたデータをデータシンク４６０に提供し、復号された制御情報をコントローラ／プロセッサ４８０に提供し得る。１つまたは複数のケースによると、ＣｏＭＰの態様は、それらが分散ユニット内に存在するように、アンテナ、並びにいくつかのＴｘ／Ｒｘ機能を提供することを含み得る。例えば、いくつかのＴｘ／Ｒｘ処理が中央ユニットで行われ得、一方、他の処理は、分散ユニットにおいて行われ得る。例えば、図に示されるような１つまたは複数の態様によると、ＢＳ変調／復調４３２は、分散ユニットにあり得る。
【００５５】
[0069]  アップリンク上では、ＵＥ１２０において、送信プロセッサ４６４が、データソース４６２から（例えば、物理アップリンク共有チャネル（ＰＵＳＣＨ）のための）データを、コントローラ／プロセッサ４８０から（例えば、物理アップリンク制御チャネル（ＰＵＣＣＨ）のための）制御情報を、受信および処理し得る。送信プロセッサ４６４はまた、基準信号のための基準シンボルを生成し得る。送信プロセッサ４６４からのシンボルは、適用可能な場合はＴＸ ＭＩＭＯプロセッサ４６６によってプリコードされ、さらに（例えば、ＳＣ−ＦＤＭなどのために）変調器４５４ａ〜４５４ｒによって処理され、基地局１１０に送信され得る。ＢＳ１１０において、ＵＥ１２０からのアップリンク信号は、アンテナ４３４によって受信され、復調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。受信プロセッサ４３８は、復号されたデータをデータシンク４３９に提供し、復号された制御情報をコントローラ／プロセッサ４４０に提供し得る。
【００５６】
[0070]  コントローラ／プロセッサ４４０および４８０は、それぞれ基地局１１０およびＵＥ１２０における動作を指示し得る。基地局１１０におけるプロセッサ４４０および／または他のプロセッサおよびモジュールは、ここに説明される技法のためのプロセスを行うか、または指示し得る。ＵＥ１２０におけるプロセッサ４８０および／または他のプロセッサおよびモジュールは、本明細書で説明される技法のための処理を行うか、または指示し得る。メモリ４４２および４８２は、それぞれＢＳ１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００５７】
[0071]  図５は、本開示の態様による、通信プロトコルスタックを実装するための例を示す図５００を例示する。例示された通信プロトコルスタックは、５Ｇシステム（例えば、アップリンクベースのモビリティをサポートするシステム）において動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、メディアアクセス制御（ＭＡＣ）レイヤ５２５、および物理（ＰＨＹ）レイヤ５３０を含む通信プロトコルスタックを例示する。様々な例では、プロトコルスタックのレイヤは、ソフトウェアの別個のモジュール、プロセッサまたはＡＳＩＣの一部分、通信リンクによって接続された非コロケートデバイスの一部分、またはそれらの様々な組み合わせとして実装され得る。コロケートされたおよびコロケートされていない実装は、例えば、ネットワークアクセスデバイス（例えば、ＡＮ、ＣＵ、および／またはＤＵ）、あるいはＵＥのためのプロトコルスタックにおいて使用され得る。
【００５８】
[0072]  第１のオプション５０５−ａは、プロトコルスタックの分割された実装を示し、ここで、そのプロトコルスタックの実装は、集中ネットワークアクセスデバイス（例えば、図２のＡＮＣ２０２）と分散ネットワークアクセスデバイス（例えば、図２のＤＵ２０８）との間で分割される。第１のオプション５０５−ａでは、ＲＲＣレイヤ５１０およびＰＤＣＰレイヤ５１５は、集中ユニットで実装され、ＲＬＣレイヤ５２０、ＭＡＣレイヤ５２５、およびＰＨＹレイヤ５３０は、ＤＵによって実装され得る。ＣＵおよびＤＵの様々な例では、コロケートされるか、またはコロケートされていない可能性があり得る。第１のオプション５０５−ａは、マクロセル、マイクロセル、またはピコセル配置において有用であり得る。
【００５９】
[0073]  第２のオプション５０５−ｂは、プロトコルスタックの統合された実装を示し、ここで、そのプロトコルスタックは、単一のネットワークアクセスデバイス（例えば、アクセスノード（ＡＮ）、新無線基地局（ＮＲ ＢＳ）、新無線ノードＢ（ＮＲ ＮＢ）、ネットワークノード（ＮＮ）など）において実装される。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装される。第２のオプション５０５−ｂは、フェムトセルの配置で有用であり得る。
【００６０】
[0074]  ネットワークアクセスデバイスがプロトコルスタックの一部を実装するか、または全てを実装するかに関わらず、ＵＥは、全体のプロトコルスタック５０５−ｃ（例えば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００６１】
[0075]  図６は、ＤＬセントリックサブフレームの例を示す図６００である。ＤＬセントリックサブフレームは、制御部６０２を含み得る。制御部６０２は、ＤＬセントリックサブフレームの初期または開始部分に存在し得る。制御部６０２は、ＤＬセントリックサブフレームの様々な部分に対応する様々なスケジューリング情報および／または制御情報を含み得る。いくつかの構成では、制御部６０２は、図６で示されるように、物理ＤＬ制御チャネル（ＰＤＣＣＨ）であり得る。ＤＬセントリックサブフレームはまた、ＤＬデータ部６０４も含み得る。ＤＬデータ部６０４は、ＤＬセントリックサブフレームのペイロードと呼ばれることもある。ＤＬデータ部６０４は、スケジューリングエンティティ（例えば、ＵＥまたはＢＳ）から下位（subordinate）エンティティ（例えば、ＵＥ）へＤＬデータを通信するために利用される通信リソースを含み得る。いくつかの構成では、ＤＬデータ部６０４は、物理ＤＬ共有チャネル（ＰＤＳＣＨ）であり得る。
【００６２】
[0076]  ＤＬセントリックサブフレームはまた、共通ＵＬ部６０６を含み得る。共通ＵＬ部６０６は、ＵＬバースト、共通ＵＬバースト、および／または様々な他の適切な用語で呼ばれることもある。共通ＵＬ部６０６は、ＤＬセントリックサブフレームの様々な他の部分に対応するフィードバック情報を含み得る。例えば、共通ＵＬ部６０６は、制御部６０２に対応するフィードバック情報を含み得る。フィードバック情報の限定されない例は、ＡＣＫ信号、ＮＡＣＫ信号、ＨＡＲＱインジケータ、および／または様々な他の適切なタイプの情報を含み得る。共通ＵＬ部６０６は、ランダムアクセスチャネル（ＲＡＣＨ）プロシージャ、スケジューリングリクエスト（ＳＲ）、および様々な他の適切なタイプの情報に関連する情報などの、追加的または代替的な情報を含み得る。図６に例示されるように、ＤＬデータ部６０４の終端は、共通ＵＬ部６０６の始端から時間的に分割され得る。この時間分割は、ギャップ、ガード期間、ガードインターバル、および／または様々な他の適切な用語で呼ばれることもある。この分割は、ＤＬ通信（例えば、下位エンティティ（例えば、ＵＥ）による受信動作）から、ＵＬ通信（例えば、下位エンティティ（例えば、ＵＥ）による送信）への切り替えのための時間を提供する。前述のものが単にＤＬセントリックサブフレームの一例であり、また、同様の特徴を有する代替的構成が、本明細書で説明される態様から必ずしも逸脱せずに存在し得ることを、当業者は理解するだろう。
【００６３】
[0077]  図７は、ＵＬセントリックサブフレームの例を示す図７００である。ＵＬセントリックサブフレームは、制御部７０２を含み得る。制御部７０２は、ＵＬセントリックサブフレームの初期または開始部分に存在し得る。図７の制御部７０２は、図６を参照して上述した制御部と同様であり得る。ＵＬセントリックサブフレームはまた、ＵＬデータ部７０４も含み得る。ＵＬデータ部７０４は、ＵＬセントリックサブフレームのペイロードと呼ばれることもある。ＵＬ部分は、下位エンティティ（例えば、ＵＥ）からスケジューリングエンティティ（例えば、ＵＥまたはＢＳ）にＵＬデータを通信するために利用される通信リソースを指し得る。いくつかの構成では、制御部７０２は、物理ＤＬリンク制御チャネル（ＰＤＣＣＨ）であり得る。
【００６４】
[0078]  図７に例示されるように、制御部７０２の終端は、ＵＬデータ部７０４の始端から時間的に分離され得る。この時間分離は、ギャップ、ガード期間、ガードインターバル、および／または様々な他の適切な用語で呼ばれることもある。この分離は、ＤＬ通信（例えば、スケジューリングエンティティによる受信動作）から、ＵＬ通信（例えば、スケジューリングエンティティによる送信）への切り替えのための時間を提供する。ＵＬセントリックサブフレームはまた、共通ＵＬ部７０６も含み得る。図７中の共通ＵＬ部７０６は、図７を参照して上述した共通ＵＬ部７０６と同様であり得る。共通ＵＬ部７０６は、追加的にまたは代替的に、チャネル品質インジケータ（ＣＱＩ）、サウンディング基準信号（ＳＲＳ）、および様々な他の適切なタイプの情報に関連する情報を含み得る。前述のものが単にＵＬセントリックサブフレームの一例であり、また、同様の特徴を有する代替的構成が、本明細書で説明される態様から必ずしも逸脱せずに存在することを、当業者は理解するだろう。
【００６５】
[0079]  いくつかの状況では、２つ以上の下位エンティティ（例えば、ＵＥ）は、サイドリンク信号を使用して互いと通信し得る。このようなサイドリンク通信の現実世界のアプリケーションは、公共安全、近接サービス、ＵＥからネットワークへの中継、車車間（Ｖ２Ｖ：vehicle-to-vehicle）通信、ＩｏＥ（Internet of Everything）通信、ＩｏＴ通信、ミッションクリティカルメッシュ、および／または様々な他の適切なアプリケーションを含み得る。一般に、サイドリンク信号は、スケジューリングエンティティがスケジューリングおよび／または制御目的のために利用され得るとしても、スケジューリングエンティティ（例えば、ＵＥまたはＢＳ）を通してその通信を中継せずに、ある下位エンティティ（例えば、ＵＥ１）から別の下位エンティティ（例えば、ＵＥ２）に通信された信号を指し得る。いくつかの例では、サイドリンク信号は、（通常アンライセンススペクトルを使用する、ワイヤレスローカルエリアネットワークとは異なる）ライセンススペクトルを使用して通信され得る。
【００６６】
[0080]  ＵＥは、リソースの専用セット（例えば、無線リソース制御（ＲＲＣ）専用の状態など）を使用してパイロットを送信することに関連付けられた構成、またはリソースの共通セット（例えば、ＲＲＣ共通の状態など）を使用してパイロットを送信することに関連付けられた構成を含む、様々な無線リソースにおいて動作し得る。ＲＲＣ専用の状態で動作するとき、ＵＥは、ネットワークにパイロット信号を送信するためのリソースの専用セットを選択し得る。ＲＲＣ共通状態で動作しているとき、ＵＥは、ネットワークにパイロット信号を送信するためにリソースの共通セットを選択し得る。いずれの場合にも、ＵＥによって送信されるパイロット信号は、ＡＮ、またはＤＵ、またはそれらの一部分などの、１つまたは複数のアクセスネットワークアクセスデバイスによって受信され得る。各受信ネットワークアクセスデバイスは、リソースの共通セット上で送信されるパイロット信号を受信および測定し、また、ネットワークアクセスデバイスがＵＥのためのネットワークアクセスデバイスのモニタリングセットのメンバであるＵＥに割り振られるリソースの専用セット上で送信されるパイロット信号を受信および測定するように構成され得る。受信ネットワークアクセスデバイスのうちの１つまたは複数、または受信ネットワークアクセスデバイスがパイロット信号の測定を送信するＣＵは、ＵＥのためのサービングセルを識別するために、あるいは、ＵＥの１つまたは複数についてのサービングセルの変更を開始するために測定を使用し得る。
【００６７】
[0081]  本明細書で開示する実施形態の１つまたは複数の態様によれば、様々な信号を多重化することを可能にする、ショートバーストチャネル（例えば、ＰＵＣＣＨおよびＰＵＳＣＨ）のための様々な設計が提供される。
【００６８】
＜例示的な仮想リソースブロックから物理リソースブロックへのマッピング＞  
[0082]  本開示の態様によれば、ＮＲ通信システムにおいて分散ＶＲＢを使用するための技法が提供される。提供される技法は、ＬＴＥにおける分散ＶＲＢと同様であり、物理ダウンリンク共有チャネル（ＰＤＳＣＨ）および物理アップリンク共有チャネル（ＰＵＳＣＨ）などの様々な物理チャネルのためのサイクリックプレフィックス直交周波数分割多重（ＣＰ−ＯＦＤＭ）波形を使用するＮＲデータチャネルのために使用され得る。提供される技法は、ＮＲ固有のチャネライゼーションパラメータ、帯域幅部分（ＢＷＰ：bandwidth part）、ＰＲＢグリッドパラメータ、およびＰＲＢバンドリングパラメータを考慮する。加えて、提供される技法は、データ送信と、同期信号ブロック（ＳＳブロック）ならびに前方および後方互換性のために予約されたリソースなどのＮＲ固有リソースとの間の衝突を解決し得る。
【００６９】
[0083]  本開示の態様では、インターリービングに基づいてＶＲＢをＰＲＢにマッピングする技法が提供される。提供される技法では、ＶＲＢからＰＲＢへの１対１マッピングは、インターリーバによって決定される。インターリーバは、Ｎ個のＲＢのインターリービングユニット（例えば、ＶＲＢバンドル）に基づいてインターリービングを行うことができる。インターリーバは、Ｎ個の連続するＶＲＢのグループ（例えば、ＶＲＢバンドル）をＮ個の連続するＰＲＢのグループ（例えば、ＰＲＢバンドル）にマッピングし得る。インターリービングを行う際に、インデックスｉを有するＶＲＢユニット（例えば、ＶＲＢバンドル）は、インデックスП（ｉ）を有するＰＲＢユニット（例えば、ＰＲＢバンドル）にマッピングされ、ここで、П（ｉ）は、ＶＲＢのＰＲＢへの１対１マッピングを記述する関数（function）である。
【００７０】
[0084]  本開示の態様によれば、インターリーバおよびそのインターリービングユニットは、デバイスおよび／または帯域幅部分（ＢＷＰ）に固有であり得る。すなわち、インターリーバおよびそのインターリービングユニットは、単一のデバイスへの（例えば、ダウンリンク制御情報（ＤＣＩ）中の）リソース割り振りのために使用され得、同じ帯域幅中で動作する他のデバイスは、異なるインターリーバおよびインターリービングユニットを使用し得る。同様に、インターリーバおよびそのインターリービングユニットは、ＢＷＰ上で動作するデバイスへのリソース割り振りのために使用され得、一方、割り振りデバイス（例えば、ＢＳ）は、他のＢＷＰのために異なるインターリーバおよびインターリービングユニットを使用する。
【００７１】
[0085]  本開示の態様では、上位レイヤシグナリング（例えば、ＲＲＣシグナリング）またはＤＣＩシグナリングは、少なくとも半静的な方法で、ＶＲＢのＰＲＢへのマッピングに関する情報を用いて（例えば、サービングセルによって）ＵＥを構成または再構成するために使用され得る。
【００７２】
[0086]  本明細書で使用される場合、「インターリーバ」は、特定のタイプのインターリーバに限定されず、行−列インターリーバ、ランダムインターリーバ、多項式ベースの（polynominal-based）インターリーバなどの、使用され得る任意のタイプのインターリーバを指し得る。
【００７３】
[0087]  図８は、本開示の態様による、例示的な行−列インターリービング技法８００を例示する。例示的な技法では、行−列インターリーバ８０２に基づくマッピングが示されている。例示的な技法では、インターリービングユニットサイズＮ＝２が示されている。すなわち、例示的なマッピングでは、２つの連続的なＶＲＢが、２つの連続的なＰＲＢにマッピングされるインターリービングユニットを形成する。例示するように、ＶＲＢのグループ８１０は、インデックス８１２を有するインターリービングユニットに編成される。同様に、ＰＲＢのグループ８２０は、インデックス８２２を有するユニットに編成される。例示的なインターリーバでは、ＶＲＢに割り当てられた割り振りは、最初に、矩形マトリックス８０４に行方向に書き込まれる。すなわち、インターリービングユニット０の割り振りはマトリックスのブロック０に書き込まれ、インターリービングユニット１の割り振りはマトリックスのブロック１に書き込まれ、以下同様である。次いで、インターリーバは、ＰＲＢの割り振りを決定するために、列方向にマトリックスから読み取る。すなわち、マトリックスのブロック０における割り振りは、インデックス０を有するユニットにおけるＰＲＢに割り当てられ、一方、マトリックスのブロック３における割り振りは、インデックス１を有するユニットにおけるＰＲＢに割り当てられ、マトリックスのブロック６における割り振りは、インデックス２を有するユニットにおけるＰＲＢに割り当てられ、以下同様である。インデックス８２２は、括弧内の対応するＶＲＢインターリービングユニットインデックスの上に示されるＰＲＢユニットインデックスを有するユニットのマッピングを示す。同様に、インデックス８２０は、対応するＰＲＢへのＶＲＢのマッピングを示し、ＰＲＢインデックスは、括弧内の対応するＶＲＢインデックスの隣に示される。例示した技法を使用することによって、ＶＲＢにおける連続的なＲＢ割り振りは、ＰＲＢにおける分散されたＲＢ割り振りをもたらし、一方で、各２（Ｎ＝２）個の連続するＶＲＢを２つの連続するＰＲＢにマッピングさせる。
【００７４】
[0088]  本開示の態様によれば、開示されたインターリービング技法とＰＲＢバンドリングとの間に関係があり得る。開示される技法では、Ｋ個の連続するＰＲＢのバンドルは、ＭＩＭＯプリコーディングおよび復調基準信号（ＤＭＲＳ）ベースのチャネル推定のユニットを定義し得る。ＰＲＢバンドリングは、以前から知られている技法に従って、コンポーネントキャリアの絶対ＰＲＢグリッドに基づき得る。ＰＲＢバンドリングサイズは、プリコーディングおよびＤＭＲＳチャネル推定のユニットを定義し得るので、ＰＲＢバンドル（ＰＲＧ）中のＲＢが、ＶＲＢ領域とＰＲＢ領域の両方において連続的であることが望ましい。
【００７５】
[0089]  本開示の態様では、単一のインターリービングユニットは、複数のＰＲＧを含み得る。インターリービングユニットサイズは、ＰＲＧサイズの整数倍、すなわち、Ｎ＝α・Ｋであり、ここで、αは、０よりも大きい整数であり、Ｋは、ＰＲＧ中のＰＲＢの数である。
【００７６】
[0090]  本開示の態様によれば、インターリービングユニットとＰＲＧとの境界が揃えられる（aligned）。すなわち、ＰＲＢ領域中の２つの隣接インターリービングユニット間の境界は、２つのインターリービングユニットがマッピングされる２つのＰＲＧ間の境界と一致する。
【００７７】
[0091]  本開示の態様では、周波数帯域のエッジ上のインターリービングユニットは、Ｎ個よりも少ないＲＢを有し得る。これは、例えば、ＢＷＰの境界がＰＲＧのグリッドの境界と揃えられていないときに起こり得る。
【００７８】
[0092]  本開示の態様によれば、上記で説明した乗算係数αの単一または複数の値は、ＲＲＣシグナリングによって半静的に構成されるか、または複数の値が構成されるとき、構成された値のうちの１つの動的指示のためにＤＣＩシグナリングと組み合わせられ得る。
【００７９】
[0093]  本開示の態様では、同じプリコーディングがＢＷＰ全体に適用される広帯域プリコーディングが使用され得る。この場合、ＢＷＰの帯域幅（ＢＷ）以下の任意のＮの値が使用されことができる。以下の表１は、いくつかの例示的なＰＲＧサイズおよび対応するインターリービングユニットサイズを例示する。
【００８０】
【表１】
2021502760.tif 000003
【００８１】
[0094]  本開示の態様によれば、ＰＲＧサイズがＢＷＰの帯域幅（ＢＷ）に等しいとき（すなわち、上記の表１の最後の行に示されるように）、同じＭＩＭＯプリコーディングマトリックスがそのＢＷＰ中の全てのＲＢのために使用される。そのような場合、ＰＲＧに関係なくＰＲＢをＶＲＢにマッピングする（すなわち、ＰＲＧの全てのＰＲＢを、連続するＶＲＢにマッピングされたままにすることなくＰＲＢをＶＲＢにマッピングする）ことは、全てのＰＲＢにおいて同じＭＩＭＯプリコーディングマトリックスを使用するため、チャネル推定パフォーマンスを劣化させないので、インターリービングユニットサイズＮは、ＢＷＰ帯域幅以下の任意の整数個のＰＲＢであり得る。
【００８２】
[0095]  図９は、本開示の態様による、Ｎ＝４、Ｋ＝４、およびα＝１を使用する、ＶＲＢへの２０個のＰＲＢのＢＷＰの例示的なマッピング９００を例示する。例示的なマッピングでは、ＢＷＰ９１０の境界は、ＰＲＧグリッド９３０と一致しない。従って、ＰＲＧは、それぞれが４個のＰＲＢを有する４つのＰＲＧ９１２、９１４、９１６、および９１８と、それぞれが２つのＰＲＢを有する２つのＰＲＧ９２２および９２４とを含む。インターリーバ９４０は、ＢＷＰ９１０の２０個のＰＲＢを２０個のＶＲＢ９５０にマッピングする。ＶＲＢは、各々が４つのＶＲＢを有する４つのインターリービングユニット９６０、９６２、９６４、および９６６と、各々が２つのＶＲＢを有する２つのインターリーバユニット９７０および９７２とに編成される。この例では、α＝１であるので、インターリーバ９４０は、各ＰＲＧを、ＲＢ（ＰＲＧ用のＰＲＢ、インターリービングユニット用のＶＲＢ）において同じサイズを有する対応するインターリービングユニットにマッピングする。従って、インターリーバは、連続的なＰＲＢの各ＰＲＧが、同じ数の連続的なＶＲＢを有するインターリービングユニットにマッピングされるように、ＶＲＢをＰＲＢにマッピングする。９８０におけるチャートは、インターリービングユニットインデックス９８２と、ＶＲＢインデックス９８４と、ＰＲＢインデックス９８６との間の対応関係を示す。
【００８３】
[0096]  図１０は、本開示の態様による、図１および図４の基地局１１０、図２の５Ｇアクセスノード２０６、ならびに図３に示されたＣ−ＲＵ３０４などの基地局によって行われ得るワイヤレス通信のための例示的な動作１０００を例示する。
【００８４】
[0097]  動作１０００は、ブロック１００２において、基地局が、Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定することから始まり、各第１のＰＲＢは、１期間中に周波数リソースのセットを備える。例えば、図１に示されるＢＳ１１０ａは、４つの連続する第１のＶＲＢの第１のインターリービングユニット（例えば、図９に示されるユニット９６０）を４つの連続する第１のＰＲＢ（例えば、図９に示されるユニット９１２）にマッピングする第１のインターリーブマッピング（例えば、図９に示されるＶＲＢ９５０とＢＷＰ９１０のＰＲＢとの間に示されるマッピング）を決定し、各第１のＰＲＢは、１期間（例えば、１スロットまたは１サブフレーム）中に周波数リソースのセット（例えば、ＰＲＢ４、５、６、および７の周波数）を備える。
【００８５】
[0098]  ブロック１００４において、動作１０００は、基地局が、第１のＶＲＢの第１のインターリービングユニットを第１のユーザ機器（ＵＥ）に割り振る第１の許可を送信することに続く。上記の例に続き、ＢＳ１１０ａは、（ブロック１００２からの）第１のＶＲＢの第１のインターリービングユニットを（例えば、ＰＤＳＣＨのために）ＵＥ１２０（図１に示す）に割り振る第１の許可を（例えば、ＤＣＩ中で）送信する。
【００８６】
[0099]  動作１０００は、ブロック１００６において、基地局が、第１のインターリービングユニットの第１のＶＲＢにマッピングされた第１のＰＲＢを介して第１のＵＥと通信することに続く。上記の例に続き、ＢＳ１１０ａは、第１のインターリービングユニットの第１のＶＲＢにマッピングされた第１のＰＲＢを介してＵＥ１２０にＰＤＳＣＨを送信することによって、ＵＥ１２０と通信する。
【００８７】
[0100]  図１１は、本開示の態様による、図１および図４に示されたＵＥ１２０などのユーザ機器（ＵＥ）によって行われ得るワイヤレス通信のための例示的な動作１１００を例示する。動作１１００は、図１０を参照して上述した動作１０００と相補的（complementary to）と見なされ得る。
【００８８】
[0101]  動作１１００は、ブロック１１０２において、ＵＥが、Ｎ個の連続する仮想リソースブロック（ＶＲＢ）のインターリービングユニットをＮ個の連続する物理リソースブロック（ＰＲＢ）にマッピングするインターリーブマッピングを決定することから始まり、各ＰＲＢは、１期間中に周波数リソースのセットを備える。例えば、ＵＥ１２０（図１に示す）は、４つの連続するＶＲＢのインターリービングユニット（例えば、図９に示すユニット９６０）を４つの連続するＰＲＢ（例えば、図９に示すユニット９１２）にマッピングするインターリーブマッピング（例えば、図９に示すＶＲＢ９５０とＢＷＰ９１０のＰＲＢとの間に示されるマッピング）を決定し、各ＰＲＢは、１期間（例えば、１スロットまたは１サブフレーム）中に周波数リソースのセット（例えば、ＰＲＢ４、５、６、および７の周波数）を備える。
【００８９】
[0102]  ブロック１１０４において、動作１１００は、ＵＥが、基地局（ＢＳ）からＶＲＢのインターリービングユニットを割り振る許可を受信することに続く。上記の例に続き、ＵＥ１２０は、（ブロック１１０２からの）ＶＲＢのインターリービングユニットを（例えば、ＰＤＳＣＨのために）割り振る許可を（例えば、ＤＣＩにおいて）ＢＳ１１０ａ（図１に示す）から受信する。
【００９０】
[0103]  動作１１００は、ブロック１１０６において、ＵＥが、インターリービングユニットのＶＲＢにマッピングされたＰＲＢを介してＢＳと通信することを続ける。上記の例に続き、ＵＥ１２０は、インターリービングユニットのＶＲＢにマッピングされたＰＲＢを介してＢＳ１１０ａからＰＤＳＣＨを受信することによって、ＢＳ１１０ａと通信する。
【００９１】
[0104]  本開示の態様によれば、図１０のブロック１００６を参照して上述したように、ＵＥと通信することは、ＵＥに信号（例えば、ＰＤＳＣＨ）を送信すること、またはＵＥから信号（例えば、ＰＵＳＣＨ）を受信することを含み得る。
【００９２】
[0105]  本開示の態様では、図１１のブロック１１０６を参照して上述したように、ＢＳと通信することは、ＢＳに信号（例えば、ＰＵＳＣＨ）を送信すること、またはＢＳから信号（例えば、ＰＤＳＣＨ）を受信することを含み得る。
【００９３】
[0106]  本開示の態様によれば、インターリービングユニットは、不均一なサイズを有し得、例えば、図９に例示するように、ＢＷＰの帯域エッジ上のユニットは、他のユニットとは異なるサイズであり得る。
【００９４】
[0107]  本開示の態様では、ＰＲＧの不均一なサイズを有することは、いくつかのＵＥに問題を引き起こし得る。例えば、図９に例示すように、２つのＰＲＧ９２２、９２４は２つのＰＲＢを有し、一方、他のＰＲＧ９１２、９１４、９１６、９１８は４つのＰＲＢを有する。従って、より小さいＰＲＧサイズに起因して、ＰＲＧ９２２もしくは９２４における割り振り、またはユニット９７０もしくは９７２における割り振りは、より低いプリコーディングおよびチャネル推定パフォーマンスを有し得る。
【００９５】
[0108]  本開示の態様によれば、他のＰＲＧよりも小さいサイズを有するいくつかのＰＲＧに関連する問題を低減するために、ＢＷＰ固有ＰＲＧグリッドがＢＷＰのために使用され得る。ＵＥの大きなセットが同じＢＷＰを共有するとき、新しいＰＲＧグリッドは、そのＢＷＰのためにのみ構成され得る。ＢＷＰ固有ＰＲＧグリッドは、ＢＷＰのエッジにおける部分ユニットを回避するように構成され得、従って、キャリア固有の絶対ＰＲＧグリッドと揃えられないことがある。構成される場合、ＢＷＰ固有ＰＲＧグリッドは、ＢＷＰ境界と揃えられると仮定され得るか、またはＢＷＰ境界もしくは絶対ＰＲＧグリッドに対する（ＲＢにおける）オフセット値が構成され得る。
【００９６】
[0109]  本開示の態様では、許可（例えば、上記のブロック１００４で言及された第１の許可または上記のブロック１１０４で言及された許可）は、（例えば、ＵＥからのＰＤＳＣＨのために）複数のインターリービングユニットを割り振り得る。
【００９７】
[0110]  図１２は、本開示の態様による、ＢＷＰ固有ＰＲＧグリッドが構成される例示的なＢＷＰ１２００を例示する。キャリアの帯域幅内のＰＲＢに対するキャリア固有インデックスが１２０２に示されている。キャリアの帯域幅内のＰＲＧへのキャリア固有インデックスが１２０４に示されている。例示的なＢＷＰは、インデックス２を有するＰＲＢから、インデックス２１を有するＰＲＢまでの、それらを含めた２０個のＰＲＢからなる。例示的なＢＷＰでは、ＢＷＰ固有ＰＲＧグリッドの境界１２１２が示されており、ＢＷＰ固有ＰＲＧグリッドのインデックス２を有するＰＲＧが１２１０に示されている。上述のように、境界１２２２を有するキャリア固有のＰＲＧグリッドは、ＢＷＰの帯域幅上に重ねられる。キャリア固有グリッドのインデックス０を有するＰＲＧが１２２０に示されている。
【００９８】
[0111]  本開示の態様によれば、他のＰＲＧよりも小さいサイズを有するいくつかのＰＲＧに関連する問題を低減するために、ヌルＲＢ割り当てがＢＷＰのために使用され得る。ＵＥ固有であり得るヌルＲＢは、データリソースマッピングを回避するために、部分（すなわち、サイズ＜Ｎ）インターリービングユニット（例えば、図９のユニット９７０および９７２）のために半静的に構成され得る。次いで、半静的に構成されたヌルＲＢは、プリコーディンググリッドとインターリービングユニットとの間の不一致の問題を回避するために、割り振りから除外される。
【００９９】
[0112]  図１３Ａおよび図１３Ｂは、本開示の態様による、ＢＷＰのＶＲＢ１３００および１３５０の例示的なセットを例示する。ＶＲＢの例示的なセットの各々は、ＲＢ＃０から始まる連続的な６個のＲＢ割り振りを含む。ＶＲＢの第１のセットにおけるＶＲＢのインデックスが１３０２に示される。ＶＲＢの第２のセットにおけるＶＲＢのインデックスが１３５２に示される。第１の例示的な割り振り１３１０は、ヌルＲＢを使用しないＢＷＰのＶＲＢのセット１３００中にあり、従って、割り振り１３１０は、インデックス０〜５を有するＶＲＢを含む。第２の例示的な割り振り１３６０は、インデックス４および５を有するＶＲＢ１３６２および１３６４中の２つのヌルＲＢを使用するＢＷＰのＶＲＢのセット１３５０中にある。従って、６つのＲＢの割り振り１３６０は、インデックス０〜３およびインデックス６〜７を有するＶＲＢを含む。
【０１００】
[0113]  本開示の態様によれば、図１２を参照して上述したようなＢＷＰ固有ＰＲＧグリッドを使用することと、図１３Ｂを参照して上述したようなヌルＲＢを使用することとの組み合わせが、いくつかの通信システムにおいて使用され得る。
【０１０１】
[0114]  本開示の態様では、小さいＲＢ割り振りを伴う動作の場合、ＲＢはインターリービング後に周波数において十分に広く拡散されないことがあるので、インターリービングユニット（例えば、ＶｏＩＰトラフィック）のサイズよりも小さいＲＢ割り振りのダイバーシティ利得が影響を受け得る。
【０１０２】
[0115]  本開示の態様によれば、いくつかのインターリービングユニット中のいくつかのＲＢは、小さいＲＢ割り振りのために予約され得る。小さいＲＢ割り振りを使用するトラフィックは、予約されたＲＢ上で割り当てられ得、一方、他のトラフィックは、残りのＲＢ上で割り当てられ得る。図１３Ｂを参照して上述したように、ヌルＲＢ構成は、予約を達成するために使用されることができる。すなわち、小さいＲＢ割り振りを有するＵＥのためにいくつかのＲＢを予約するために、大きいＲＢ割り振りを有するＵＥのために、ヌルＲＢが構成され得る。構成されたヌルＲＢを有するＵＥはヌルＲＢロケーションに割り振られないので、ヌルＲＢ構成を有していない他のＵＥは、小さいＲＢ割り振りを使用して、トラフィックのためのロケーションを自由に使用することができる。
【０１０３】
[0116]  図１４Ａおよび図１４Ｂは、本開示の態様による、例示的なインターリービングマッピング１４００および１４５０を例示する。例示的なマッピング１４００では、１４１０における２つのＶＲＢが、小さいＲＢ割り振りを使用するトラフィックによる使用のために割り当てられる。２つのＶＲＢが小さいＲＢ割り振りトラフィックに割り振られるとき、１４２０に示すように、連続するＰＲＢにＶＲＢがマッピングされるので、トラフィックは周波数ダイバーシティから利益を受けない。例示的なマッピング１４５０では、５つのＶＲＢ１４６０、１４６２、１４６４、１４６６、および１４６８（例えば、各インターリービングユニット１４５２、１４５４、１４５６、１４５８、および１４５９中の１つ）が、小さいＲＢ割り振りトラフィックのために予約される。例示的なマッピングでは、２つの予約されたＲＢ１４６４および１４６６が、小さいＲＢトラフィックに割り振られる。小さいＲＢ割り振りトラフィックに割り当てられたＶＲＢは、ＰＲＢ１４７０および１４７２にマッピングされ、これらは、図１４Ａに示す１４２０におけるＰＲＢよりも著しく大きい周波数ダイバーシティを有する。
【０１０４】
[0117]  本開示の態様によれば、ＰＲＢ中のいくつかのリソースは、いくつかの他の目的、例えば、同期信号またはフォワード互換性リソースのために予約され得る。予約は、ＲＢシンボルレベルまたは制限されたリソース要素（ＲＥ）レベル（ＲＥレベル）で実装され得る。予約されたリソースは、レートマッチングのために半静的および／または動的にＵＥに示され得る。データリソース（すなわち、ＰＤＳＣＨまたはＰＵＳＣＨのためのリソース）がＶＲＢにおいて割り振られるため、ＰＲＢにおける予約されたリソースは、レートマッチングのためにＶＲＢに変換（例えば、デインターリーブ）されるべきである。
【０１０５】
[0118]  本開示の態様では、レートマッピングプロシージャは、以下の通りであり得る：１）所与のスロット内のＰＲＢ内の予約されたリソース（ＲＢシンボルレベルまたは制限されたＲＥレベル）を決定し、２）ＰＲＢ内の予約されたリソースのロケーション（例えば、ＲＢ、ＲＥ、またはシンボル）を、デインターリーバ機能または関数（function）П−１を介したデインターリービングを通じてＶＲＢに変換し、３）開始および／または終了ＶＲＢインデックスまたは開始ＲＢおよび割り振りの長さに基づいて連続的なＲＢ割り振りを使用して、データをＶＲＢ内のリソース（例えば、ＰＤＳＣＨおよび／またはＰＵＳＣＨのための）に割り振り、データを割り当てる間、予約されたリソースを回避する（例えば、レートマッチング）、４）ＶＲＢ対ＰＲＢマッピングのためのインターリーブを行う。
【０１０６】
[0119]  図１５は、本開示の態様による、例示的なインターリービングマッピング１５００を例示する。例示的なインターリービングマッピングは、５シンボルスロットを利用し、ＢＷＰ１５１０における２０個のＲＢの帯域幅のために構成される。ＰＲＢ領域におけるシンボルのインデックスは１５０２で示され、一方、ＶＲＢ領域におけるシンボルのインデックスは１５０４で示される。インデックス４を有するＲＢから始まり、１０の割り振り長を有する連続的なＶＲＢの割り振り１５２０（すなわち、それらを含めたＶＲＢ４〜ＶＲＢ１３）が示されている。ＶＲＢおよびＰＲＢにおける予約されたリソースのロケーションは、インターリービング／デインターリービング機能（function）１５３０によって関連付けられる。例示的なマッピングは、ＶＲＢ１５２２などの、データ送信のために割り振られたＲＢと、ＰＲＢ１５４４などの、予約されたまたは予約されたＲＥを含むＲＢとを示す。例示的なマッピングでは、データＶＲＢ１５２２はＰＲＢ１５４２に対応する。同様に、予約された、または予約されたＲＥを含むＰＲＢ１５４４は、ＶＲＢ１５２４に対応する。ＶＲＢ１５２４は、予約された、または予約されたＲＥを含むＰＲＢに対応するので、ＶＲＢ１５２４は、その周辺でレートマッチングされる。
【０１０７】
[0120]  本明細書に開示されている方法は、説明された方法を達成するための１つまたは複数のステップまたはアクションを備える。方法のステップおよび／またはアクションは、特許請求の範囲から逸脱することなく、互いに置き換えられ得る。言い換えると、ステップまたはアクションの特定の順序が指定されない限り、特定のステップおよび／またはアクションの順序および／または使用は、本願の特許請求の範囲から逸脱せずに修正され得る。
【０１０８】
[0121]  本明細書で使用される場合、項目のリスト「〜のうちの少なくとも１つ」を示すフレーズは、単一の要素を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに、同じ要素（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、あるいは、ａ、ｂ、およびｃの他の順番）の複数との任意の組み合わせをカバーすることが意図される。本明細書で使用される場合、特許請求の範囲に含まれる「および／または」という表現は、２つ以上の項目のリストで使用されるとき、それ自体によって用いられ得るリスト化された項目のうちのいずれか１つ、またはリスト化された項目のうちの２つ以上のいずれかの組み合せが用いられ得ることを意味する。例えば、構成がコンポーネントＡ、Ｂ、および／またはＣを含むと説明される場合、その構成は、Ａ単独；Ｂ単独；Ｃ単独；ＡおよびＢの組合せ；ＡおよびＣの組み合せ；ＢおよびＣの組み合せ；またはＡ、Ｂ、およびＣの組み合せを含むことができる。
【０１０９】
[0122]  本明細書で使用される場合、「決定すること」という用語は、幅広いアクションを含む。例えば、「決定すること」は、算出すること、計算すること、処理すること、導出すること、調査すること、ルックアップすること（例えば、表、データベース、または別のデータ構造においてルックアップすること）、確認することなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【０１１０】
[0123]  以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。従って、特許請求の範囲は、本明細書に示された態様に限定されるものではなく、特許請求の範囲の文言に矛盾しない最大限の範囲を与えられるべきであり、単数形の要素への言及は、そのように明記されていない限り、「ただ１つの」を意味するものではなく、「１つまたは複数の」を意味するものである。例えば、「ａ」や「ａｎ」といった冠詞は、本明細書および添付の特許請求の範囲において使用される場合、一般に、別段に明記されていない限り、単数形を指していることが文脈から明らかでない限り、「１つまたは複数」を意味するものと解釈されるべきである。別段に明記されていない限り、「いくつかの」という用語は「１つまたは複数の」を指す。
【０１１１】
[0031]  さらに、「または」という用語は、排他的な「または」ではなく、包括的な「または」を意味するものとする。すなわち、別段に明記されていない限り、またはコンテキストから明らかでない限り、例えば、「ＸはＡまたはＢを用いる」というフレーズは、自然な包括的置換のうちのいずれかを意味することを意図している。すなわち、例えば、「ＸはＡまたはＢを用いる」というフレーズは、ＸがＡを用いる場合、ＸがＢを用いる場合、またはＸがＡとＢの両方を用いる場合のいずれによっても満たされる。当業者に知られている、または後に知られることになる、本開示全体にわたって説明した様々な態様の要素の全ての構造的および機能的均等物は、参照により本明細書に明確に組み込まれ、特許請求の範囲に包含されるものである。さらに、本明細書に開示したいかなることも、そのような開示が特許請求の範囲に明示的に記載されているかどうかに関わらず、公共に献呈されるものではない。特許請求の範囲のどの要素も、その要素が明確に「〜のための手段」というフレーズを使用して記載されていない限り、または、方法の請求項の場合には、その要素が「〜するためのステップ」というフレーズを使用して記載されていない限り、米国特許法第１１２条６項の規定のもとで解釈されるべきではない。
【０１１２】
[0124]  上述された方法の様々な動作は、対応する機能を実行することができる任意の適切な手段によって行われ得る。手段は、回路、特定用途向け集積回路（ＡＳＩＣ）、またはプロセッサを含むがそれらに限定されない、様々なハードウェアおよび／またはソフトウェアコンポーネントおよび／またはモジュールを含み得る。一般に、図に示す動作がある場合、それらの動作は、同様の番号を有する対応するカウンターパートのミーンズプラスファンクション構成要素を有し得る。
【０１１３】
[0125]  本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を行うように設計されたそれらの任意の組み合せを用いて実施または行われ得る。汎用プロセッサはマイクロプロセッサであり得るが、代替として、プロセッサは、任意の商用に利用可能なプロセッサ、コントローラ、マイクロコントローラ、または状態機械であり得る。プロセッサは、コンピューティングデバイスの組み合せ、例えば、ＤＳＰとマイクロプロセッサとの組み合せ、複数のマイクロプロセッサ、ＤＳＰコアと連携する１つまたは複数のマイクロプロセッサ、あるいは任意の他のそのような構成としても実装され得る。
【０１１４】
[0126]  ハードウェアで実装される場合、例示的なハードウェア構成は、ワイヤレスノード中の処理システムを備え得る。処理システムは、バスアーキテクチャを用いて実装され得る。バスは、処理システムの特定の用途と全体的な設計の制約に依存して、任意の数の相互接続バスおよびブリッジを含み得る。バスは、プロセッサ、機械可読媒体、およびバスインターフェースを含む様々な回路を共にリンクさせ得る。バスインターフェースは、特に、バスを介してネットワークアダプタを処理システムに接続するために使用され得る。このネットワークアダプタは、ＰＨＹレイヤの信号処理機能を実装するために使用され得る。ユーザ端末１２０（図１を参照）の場合、ユーザインターフェース（例えば、キーパッド、ディスプレイ、マウス、ジョイスティックなど）もまた、バスに接続されることができる。バスはまた、タイミングソース、周辺機器、電圧レギュレータ、電力管理回路などのような様々な他の回路をリンクさせることができるが、これは、当該技術において周知であるため、これ以上説明されない。プロセッサは、１つまたは複数の汎用および／または特殊用途プロセッサで実装され得る。例は、ソフトウェアを実行することができるマイクロプロセッサ、マイクロコントローラ、ＤＳＰプロセッサ、および他の回路を含む。当業者は、システム全体に課された特定の用途および全体的な設計の制約に依存して、処理システムについて説明された機能をどのように実装することが最善かを認識するだろう。
【０１１５】
[0127]  ソフトウェアで実装される場合、これら機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語と呼ばれる場合も、その他の名称で称される場合も、命令、データ、またはそれらの任意の組み合わせを意味するものとして広く解釈されるべきである。コンピュータ可読媒体は、ある場所から別の場所へのコンピュータプログラムの転送を容易にする任意の媒体を含む、コンピュータ記憶媒体とコンピュータ通信媒体の両方を含む。プロセッサは、バスの管理と、機械可読記憶媒体に記憶されたソフトウェアモジュールの実行を含む汎用処理とを担い得る。コンピュータ可読記憶媒体は、プロセッサが記憶媒体から情報を読み取り、記憶媒体に情報を書き込むことができるように、プロセッサに結合され得る。代替として、記憶媒体はプロセッサに一体化することができる。例として、機械可読媒体は、送信線、データによって変調された搬送波、および／またはワイヤレスノードとは別個の命令を記憶したコンピュータ可読記憶媒体を含み得るが、それらは全てバスインターフェースを介してプロセッサによりアクセスされ得る。代替的にまたは加えて、機械可読媒体、またはそのうちの任意の部分は、キャッシュおよび／または汎用レジスタファイルが用いられ得るようなケースに、プロセッサに組み込まれ得る。機械可読媒体の例は、例として、ＲＡＭ（ランダムアクセスメモリ）、フラッシュメモリ、位相変更メモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、または任意の他の適切な記憶媒体、またはそれらの任意の組み合わせを含み得る。機械可読媒体は、コンピュータプログラム製品に組み込まれ得る。
【０１１６】
[0128]  ソフトウェアモジュールは、単一の命令または多数の命令を備えることがあり得、いくつかの異なるコードセグメントにわたって、異なるプログラム間で、および複数の記憶媒体にわたって、分散されることがあり得る。コンピュータ可読媒体は、多数のソフトウェアモジュールを備え得る。ソフトウェアモジュールは、プロセッサなどの装置によって実行されるとき、様々な機能を処理システムに実行させる命令を含む。ソフトウェアモジュールは、送信モジュールと受信モジュールとを含み得る。各ソフトウェアモジュールは、単一の記憶デバイスに存在するか、または複数の記憶デバイスにわたって分散され得る。例として、ソフトウェアモジュールは、トリガイベントが生じたとき、ハードドライブからＲＡＭにロードされ得る。ソフトウェアモジュールの実行中、プロセッサは、アクセススピードを上げるために、命令のうちのいくつかをキャッシュにロードし得る。１つまたは複数のキャッシュラインは次いで、プロセッサによる実行のために、汎用レジスタファイルにロードされ得る。以下でソフトウェアモジュールの機能に言及するとき、そのような機能は、ソフトウェアモジュールからの命令を実行するとき、プロセッサによって実装されることが理解されるだろう。
【０１１７】
[0129]  また、任意の接続は、厳密にはコンピュータ可読媒体と呼ばれ得る。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ディスク（disk）は、通常、データを磁気的に再生し、一方、ディスク（disc）は、データをレーザで光学的に再生する。よって、いくつかの態様では、コンピュータ可読媒体は、非一時的なコンピュータ可読媒体（例えば、有形媒体）を備え得る。さらに、他の態様では、コンピュータ可読媒体は、一時的なコンピュータ読取可能な媒体（例えば、信号）を備え得る。上記の組み合せもコンピュータ可読媒体の範囲内に含めるべきである。
【０１１８】
[0130]  従って、ある特定の態様は、本明細書において提示された動作を行うためのコンピュータプログラム製品を備え得る。例えば、このようなコンピュータプログラム製品は、命令を記憶した（および／またはエンコードされた）コンピュータ可読媒体を備えることがあり得、その命令は、ここに記載された動作を行うために１つまたは複数のプロセッサによって実行可能である。例えば、動作を行うための命令がここに説明され、且つ添付の図面に例示される。
【０１１９】
[0131]  さらに、本明細書に説明された方法および技法を行うためのモジュールおよび／または他の適切な手段が、ダウンロードされることができること、および／または、そうでなければ、ユーザ端末および／または基地局によって、適用可能であるように得られることが理解されるべきである。例えば、このようなデバイスは、本明細書で説明される方法を行うための手段の転送を容易にするためにサーバに結合され得る。代替的に、本明細書で説明される様々な方法は、ユーザ端末および／または基地局が、デバイスに記憶手段を結合または提供する際に様々な方法を取得し得るように、記憶手段（例えば、ＲＡＭ、ＲＯＭ、コンパクトディスク（ＣＤ）またはフロッピーディスクなどの物理記憶媒体など）を介して提供され得る。さらに、本明細書で説明される方法および技法をデバイスに提供するために、任意の他の適切な技法が利用され得る。
【０１２０】
[0132]  特許請求の範囲は、上記に例示されたとおりの構成および構成要素に限定されないことが理解されるべきである。本願の特許請求の範囲から逸脱することなく、様々な修正、変更、および変形が、上述された方法および装置の配置、動作、および細部に対して行われ得る。
【図１】
2021502760.tif 000004
【図２】
2021502760.tif 000005
【図３】
2021502760.tif 000006
【図４】
2021502760.tif 000007
【図５】
2021502760.tif 000008
【図６】
2021502760.tif 000009
【図７】
2021502760.tif 000010
【図８】
2021502760.tif 000011
【図９】
2021502760.tif 000012
【図１０】
2021502760.tif 000013
【図１１】
2021502760.tif 000014
【図１２】
2021502760.tif 000015
【図１３Ａ】
2021502760.tif 000016
【図１３Ｂ】
2021502760.tif 000017
【図１４Ａ】
2021502760.tif 000018
【図１４Ｂ】
2021502760.tif 000019
【図１５】
2021502760.tif 000020
【国際調査報告】
2021502760.tif 000021
2021502760.tif 000022
2021502760.tif 000023